【手続補正書】
【提出日】平成18年3月22日(2006.3.22)
【手続補正１】
【補正対象書類名】明細書
【補正対象項目名】発明の名称
【補正方法】変更
【補正の内容】
【発明の名称】遠隔商品販売のための装置
【手続補正２】
【補正対象書類名】明細書
【補正対象項目名】特許請求の範囲
【補正方法】変更
【補正の内容】
【特許請求の範囲】
【請求項１】
「店舗において陳列されている一つ又は複数の陳列商品を含む映像」を取得するための映像取得手段と、
前記映像取得手段が取得した前記「陳列商品を含む映像」を、ネットワーク上のユーザー側に対して販売が可能な商品を示すものとして、ネットワークを介して、ネットワーク上のユーザー側に送信するための映像送信手段と、
前記のネットワーク上のユーザー側からの前記映像に含まれる陳列商品の中の少なくとも一つについての「購入若しくは購入予約の申込み、又は購入のため若しくは購入予約のために必要な手続」を、ネットワークを介して受信するための受信手段と、
店舗内の各陳列商品別に又は各陳列商品の種類別に、前記陳列商品の表面又は近傍の位置に配置されている告知手段であって、或る陳列商品が「売り切れ、又は在庫品の無い状態」となったとき、そのことを、少なくとも店内の実際の来店客に知らせるための告知手段と、
或る陳列商品についての前記ネットワーク上のユーザー側からの「購入若しくは購入予約の申込み、又は購入のため若しくは購入予約のために必要な手続」により、その陳列商品が「売り切れ、又は在庫品の無い状態」となったとき、その陳列商品についての前記ネットワーク上のユーザー側からの「購入若しくは購入予約の申込み、又は購入のため若しくは購入予約のために必要な手続」の前記受信手段による受信に基づいて、「その陳列商品が売り切れ、又は在庫品の無い状態となったこと」を、少なくとも店内の実際の来店客に知らせるように、前記告知手段を制御するための告知制御手段と、
を含むことを特徴とする、ネットワークを利用した遠隔商品販売のための装置。
【請求項２】
店舗に陳列された「少なくともその店舗内では在庫品の無い現物限りの商品」を含む映像を取得するための映像取得手段と、
前記映像取得手段が取得した映像を、ネットワーク上のユーザー側に対して販売が可能な商品を示すものとして、ネットワークを介して、ネットワーク上のユーザー側に送信するための映像送信手段と、
前記のネットワーク上のユーザー側からの前記「現物限りの商品」についての「購入若しくは購入予約の申込み、又は購入のため若しくは購入予約のために必要な手続」を、ネットワークを介して受信するための受信手段と、
前記「現物限りの商品」別に、前記「現物限りの商品」の表面又は近傍の位置に配置されている告知手段であって、前記「現物限りの商品」が「売約済み」となったとき、そのことを、少なくとも店内の実際の来店客に知らせるための告知手段と、
前記「現物限りの商品」についての前記のネットワーク上のユーザー側からの「購入若しくは購入予約の申込み、又は購入のため若しくは購入予約のために必要な手続」により、前記「現物限りの商品」が「売約済み」となったとき、前記「現物限りの商品」についての前記のネットワーク上のユーザー側からの「購入若しくは購入予約の申込み、又は購入のため若しくは購入予約のために必要な手続」の前記受信手段による受信に基づいて、「その『現物限りの商品』が売約済みとなったこと」を、少なくとも店内の実際の来店客に知らせるように、前記告知手段を制御するための告知制御手段と、
を含むことを特徴とする、ネットワークを利用した遠隔商品販売のための装置。
【請求項３】
「店舗において陳列されている一つ又は複数の陳列商品を含む映像」を取得するための映像取得手段と、
前記映像取得手段が取得した「陳列商品を含む映像」を、ネットワーク上のユーザー側に対して販売が可能な商品を示すものとして、ネットワークを介して、ネットワーク上のユーザー側に送信するための映像送信手段と、
前記のネットワーク上のユーザー側からの前記映像に含まれる陳列商品の中の少なくとも一つについての「購入若しくは購入予約の申込み、又は購入のため若しくは購入予約のために必要な手続」を、ネットワークを介して受信するための受信手段と、
店舗内の各陳列商品別に又は各陳列商品の種類別に、前記陳列商品の表面又は近傍の位置に配置されている告知手段であって、或る陳列商品が「売り切れ」の状態となったとき、「その陳列商品が陳列はされているが既に売り切れとなったこと」を、少なくとも店内の実際の来店客に知らせるための告知手段と、
或る陳列商品についての前記ネットワーク上のユーザー側からの「購入若しくは購入予約の申込み、又は購入のため若しくは購入予約のために必要な手続」により、その陳列商品が「売り切れ」の状態となったとき、その陳列商品についての前記ネットワーク上のユーザー側からの「購入若しくは購入予約の申込み、又は購入のため若しくは購入予約のために必要な手続」の前記受信手段による受信に基づいて、「その陳列商品が陳列はされているが既に売り切れとなったこと」を、少なくとも店内の実際の来店客に知らせるように、前記告知手段を制御するための告知制御手段と、
を含むことを特徴とする、ネットワークを利用した遠隔商品販売のための装置。
【請求項４】
店舗側は、映像取得手段により取得した「店舗において陳列されている一つ又は複数の陳列商品を含む映像」を、ネットワーク上のユーザー側に対して販売が可能な商品を示すものとして、ネットワークを介してネットワーク上のユーザー側に送信することを可能とし、ネットワーク上のユーザー側は、ネットワークを介して前記陳列商品についての「購入若しくは購入予約の申込み、又は購入のため若しくは購入予約のために必要な手続」を店舗側に対して行うことを可能とするための遠隔商品販売のための装置であって、
店舗内の各陳列商品別に又は各陳列商品の種類別に、前記陳列商品の表面又は近傍の位置に配置されている告知手段であって、或る陳列商品が「売り切れ、又は在庫品の無い状態」となったとき、「その陳列商品が売り切れ又は在庫品の無い状態となったこと」を、少なくとも店内の実際の来店客に知らせるための告知手段と、
或る陳列商品についての前記ネットワーク上のユーザー側からの「購入若しくは購入予約の申込み、又は購入のため若しくは購入予約のために必要な手続」により、その陳列商品が「売り切れ、又は在庫品の無い状態」となったとき、その陳列商品についての前記ネットワーク上のユーザー側からの「購入若しくは購入予約の申込み、又は購入のため若しくは購入予約のために必要な手続」の店舗側による受信に基づいて、「その陳列商品が売り切れ又は在庫品の無い状態となったこと」を、少なくとも店内の実際の来店客に知らせるように、前記告知手段を制御するための告知制御手段と、
を含むことを特徴とする、ネットワークを利用した遠隔商品販売のための装置。
【請求項５】  店舗側は、映像取得手段により取得した「店舗において陳列されている一つ又は複数の商品を含む映像」を、ネットワーク上のユーザー側に対して販売が可能な商品を示すものとして、ネットワークを介してネットワーク上のユーザー側に送信することを可能とし、ネットワーク上のユーザー側は、ネットワークを介して前記陳列商品についての「購入若しくは購入予約の申込み、又は購入のため若しくは購入予約のために必要な手続」を店舗側に対して行うことを可能とするための遠隔商品販売のための装置であって、
店舗内の各陳列商品別に又は各陳列商品の種類別に、前記陳列商品であって「少なくともその店舗内では在庫が無い現物限りの商品」の表面又は近傍の位置に配置されている告知手段であって、前記「現物限りの商品」が売約済みとなったとき、そのことを、少なくとも店内の実際の来店客に知らせるための告知手段と、
前記「現物限りの商品」についての前記のネットワーク上のユーザー側からの「購入若しくは購入予約の申込み、又は購入のため若しくは購入予約のために必要な手続」により、前記「現物限りの商品」が売約済みとなったとき、前記のネットワーク上のユーザー側からの「購入若しくは購入予約の申込み、又は購入のため若しくは購入予約のために必要な手続」の店舗側による受信に基づいて、「前記の現物限りの商品が売約済みとなったこと」を、少なくとも店内の実際の来店客に知らせるように、前記告知手段を制御するための告知制御手段と、
を含むことを特徴とする、遠隔商品販売のための装置。
【請求項６】
店舗側は、映像取得手段により取得した「店舗において陳列されている一つ又は複数の陳列商品を含む映像」を、ネットワーク上のユーザー側に対して販売が可能な商品を示すものとして、ネットワークを介してネットワーク上のユーザー側に送信することを可能とし、ネットワーク上のユーザー側は、ネットワークを介して前記陳列商品についての「購入若しくは購入予約の申込み、又は購入のため若しくは購入予約のために必要な手続」を店舗側に対して行うことを可能とするための遠隔商品販売のための装置であって、
店舗内の各陳列商品別に又は各陳列商品の種類別に、前記陳列商品の表面又は近傍の位置に配置されている告知手段であって、或る陳列商品が「売り切れ」の状態となったとき、「その陳列商品が売り切れとなったこと」を、少なくとも店内の実際の来店客に知らせるための告知手段と、
或る陳列商品についての前記のネットワーク上のユーザー側からの「購入若しくは購入予約の申込み、又は購入のため若しくは購入予約のために必要な手続」により、その陳列商品が「売り切れ」の状態となったとき、その陳列商品についての前記のネットワーク上のユーザー側からの「購入若しくは購入予約の申込み、又は購入のため若しくは購入予約のために必要な手続」の店舗側による受信に基づいて、「その陳列商品が売り切れとなったこと」を少なくとも店内の実際の来店客に知らせるように、前記告知手段を制御するための告知制御手段と、
を含むことを特徴とする、遠隔商品販売のための装置。
【請求項７】
請求項１から６までのいずれか一つにおいて、
前記告知手段は、所定の情報を表示するための表示部、所定の光を発するための発光部、又は所定の音声や音響を発するための音発生部により構成されている、ことを特徴とする、ネットワークを利用した遠隔商品販売のための装置。
【請求項８】
請求項１から６までのいずれか一つにおいて、
前記告知手段は、表示装置であり、ネットワーク上のユーザー側からネットワークを介して送信された当該陳列商品に関する「感想、又は、質問・問合せ・要望などのメッセージ」を表示するためにも使用できるものである、ことを特徴とするネットワークを利用した遠隔商品販売のための装置。
【請求項９】
請求項１から６までのいずれか一つにおいて、
店舗内の各陳列商品別に又は各陳列商品の種類別に、その表面又は近傍の位置にそれぞれ配置されているメッセージ記録手段であって、ネットワーク上のユーザー側からネットワークを介して送信された当該陳列商品に関する「感想、又は、質問・問合せ・要望などのメッセージ」を記録するための感想等記録手段、を含むことを特徴とするネットワークを利用した遠隔商品販売のための装置。